(57)【特許請求の範囲】
【請求項１】
ユニットバスの天井裏に配置する支持枠を設け、ユニットバスの天井部に装着する浴室空調機の荷重を前記支持枠を介してユニットバスの天井壁で受け止めるユニットバス用浴室空調機の取り付け構造であって、
前記支持枠の本体部が、前記ユニットバスの天井壁の一端から他端にわたらせる平行姿勢の２本の脚枠と、前記天井壁に形成した取付口に対応する位置で前記両脚枠にわたらせる主枠とからなり、
前記浴室空調機を前記主枠に対して連結し、
前記両脚枠の夫々が、前記主枠を載置状態で取り付けるパイプ状の外郭フレームと、この外郭フレームの両端部に各別に内嵌される内郭フレームとからなり、
前記各内郭フレームの外側端部における下面に、前記天井壁の上面に対する着座部を設けるとともに、前記各内郭フレーム夫々の長手方向における外側端部に、前記ユニットバスの対向する側壁夫々の外面に対して係合させる位置保持用の係合部を設け、
前記着座部を前記天井壁の周縁部における上向き突出形状の天井廻し縁よりも内側で前記天井壁の上面に当接させた状態において、前記係合部が前記天井廻し縁の上方から外側へ廻り込んだ状態で前記側壁の外面に係合する構造にしてあり、
前記内郭フレームに対しフレーム長手方向での相対摺動のみを許す状態に前記外郭フレームを外嵌させた摺動嵌合構造でそれらフレームの相対摺動によりユニットバス巾方向における長さ調整を行なう調整機構を前記支持枠に設けてあるユニットバス用浴室空調機の取り付け構造。
【請求項２】
前記係合部を、前記天井廻し縁の内側で前記支持枠の本体部から上方に延びて前記天井廻し縁の上方で外側へわたり、かつ、前記天井廻し縁の外側で前記側壁の外面に対する係合位置まで下方に延びる逆Ｕ字形状にしてある請求項１記載のユニットバス用浴室空調機の取り付け構造。
【請求項３】
前記両脚枠のうちの一方を、前記内郭フレームを内嵌させた２本の前記外郭フレームを水平方向に並べた状態で束ねた構造にしてある請求項１又は２記載のユニットバス用浴室空調機の取り付け構造。
【発明の詳細な説明】
【０００１】
【発明の属する技術分野】
本発明はユニットバス用浴室空調機の取り付け構造に関し、詳しくは、ユニットバスの天井裏に配置する支持枠を設け、ユニットバスの天井部に装着する浴室空調機の荷重を前記支持枠を介してユニットバスの天井壁で受け止めるユニットバス用浴室空調機の取り付け構造に関する。
【０００２】
【従来の技術】
この取り付け構造では、図５に示す如く、ユニットバス天井壁３の上面に対する着座部１０が支持枠２に設けられ、また、ユニットバス１の巾方向における支持枠２そのものの位置保持のために、ユニットバス１の対向する側壁１１夫々の外面に対し係合させてユニットバス１を挟み込む状態にする係合部１２が支持枠２の両端部に設けられるが、従来、これら着座部１０と係合部１２とは、同図５及び図６に示す如く、側壁１１の外面に対し係合させる係合部としての縦姿勢の鍔板１２と着座部としての防振ゴム１０とで逆Ｌ字の断面形状を形成する状態（すなわち、天井壁上面と側壁外面とが形成する凸角部に対して係合させるアングル形状を係合部としての鍔板１２と着座部としての防振ゴム１０とで形成する状態）に設けられていた。
【０００３】
なお、同図５に示す従来の取り付け構造では、支持枠２の本体部を空調機連結部としての主枠９と上記着座部１０及び係合部１２を端部に設けた２つの脚枠８との３分割構造にして、各脚枠８の形成材であるアングル材８ａを主枠９の形成材であるアングル材９ａに重ねた状態でそれらアングル材８ａ，９ａどうしをボルト・ナットＢにより連結することで各脚枠８を主枠９に連結する構造にしており、そして、この構造において、主枠側アングル材９ａのボルト孔Ｈを長孔にすることでボルト・ナットＢを軽く仮締めした状態での両アングル材８ａ，９ａの相対摺動を許すようにして、この相対摺動によりユニットバス１の巾方向における支持枠２の長さ調整（各脚枠８の張り出し長さの調整）を行うようにしている。
【０００４】
【発明が解決しようとする課題】
しかし、ユニットバスの種類によっては、図７に示す如く、ユニットバス天井壁３の周縁部に樹脂製の上向きの突出物Ｍ（いわゆる天井廻し縁）を設けたものがあり、このような天井廻し縁Ｍのあるユニットバスの場合、上記した従来の取り付け構造では、天井裏への支持枠２の設置において着座部１０及び係合部１２が天井廻し縁Ｍと干渉してしまい、この為に支持枠２を設置することができず浴室空調機の装着が行なえなくなる問題があった。
【０００５】
また、着座部１０を天井廻し縁Ｍの頂部に当接させ、かつ、係合部１２を天井廻し縁Ｍの外面に係合させる状態で支持枠２を天井裏に設置できたとしても、極めて不安定な設置状態になるとともに、主枠９に連結した浴室空調機の荷重及び支持枠２自身の荷重が局部的に掛かることで樹脂製の天井廻し縁Ｍが破損する虞もあり、これらの点で浴室空調機の装着に不具合を生じる。
【０００６】
なお、天井廻し縁Ｍは、同図７に示す如く、ユニットバス１の天井壁３と側壁１１とを接合する接合部材Ｎに一体形成されており、ユニットバス１の組み立て前において多数の天井壁３を積み重ね状態で保管する際のスペーサとなるものである。
【０００７】
上記の実情に鑑み、本発明の主たる課題は、合理的な構造を採ることで、天井廻し縁の有る無しにかかわらず支持枠をユニットバスの天井裏へ適切に設置できるようにする点にある。
【０００８】
【課題を解決するための手段】
〔１〕請求項１に係る発明はユニットバス用浴室空調機の取り付け構造に係り、その特徴は、
ユニットバスの天井裏に配置する支持枠を設け、ユニットバスの天井部に装着する浴室空調機の荷重を前記支持枠を介してユニットバスの天井壁で受け止めるユニットバス用浴室空調機の取り付け構造であって、
前記支持枠の本体部が、前記ユニットバスの天井壁の一端から他端にわたらせる平行姿勢の２本の脚枠と、前記天井壁に形成した取付口に対応する位置で前記両脚枠にわたらせる主枠とからなり、
前記浴室空調機を前記主枠に対して連結し、
前記両脚枠の夫々が、前記主枠を載置状態で取り付けるパイプ状の外郭フレームと、この外郭フレームの両端部に各別に内嵌される内郭フレームとからなり、
前記各内郭フレームの外側端部における下面に、前記天井壁の上面に対する着座部を設けるとともに、前記各内郭フレーム夫々の長手方向における外側端部に、前記ユニットバスの対向する側壁夫々の外面に対して係合させる位置保持用の係合部を設け、
前記着座部を前記天井壁の周縁部における上向き突出形状の天井廻し縁よりも内側で前記天井壁の上面に当接させた状態において、前記係合部が前記天井廻し縁の上方から外側へ廻り込んだ状態で前記側壁の外面に係合する構造にしてあり、
前記内郭フレームに対しフレーム長手方向での相対摺動のみを許す状態に前記外郭フレームを外嵌させた摺動嵌合構造でそれらフレームの相対摺動によりユニットバス巾方向における長さ調整を行なう調整機構を前記支持枠に設けてある点にある。
【０００９】
つまり、この構成であれば、上記の如く着座部が天井廻し縁よりも内側で天井壁の上面に当接した状態において支持枠端部の係合部が天井廻し縁の上方から外側へ廻り込んだ迂回状態で側壁の外面に係合するから、天井壁の周縁部における天井廻し縁の有る無しにかかわらず、着座部を天井壁の上面に対し適切に当接させ、かつ、係合部を側壁の外面に対し適切に係合させた状態で、支持枠をユニットバスの天井裏に適切に設置することができ、これにより、天井廻し縁があるユニットバスの場合に支持枠を設置できない、あるいは、設置できたとしても浴室空調機の装着に不具合を生じるといった従前の問題を回避して、先述した従来の取り付け構造に比べ、種々のユニットバスに対する対応性及び浴室空調機の支持に対する信頼性を大巾に高めることができる。
また、先述した従来の取り付け構造の如く、ボルト・ナットを仮締めした状態での重ね合わせアングル材の相対摺動により支持枠の長さ調整を行なうのでは、ボルト・ナット仮締め状態でのアングル材の相対摺動にガタツキやコジレが生じ易くて支持枠の長さ調整を行ない難い問題もある。
これに対し、フレームの相対摺動により支持枠の長さ調整を行なうのに、内郭フレームに対しフレーム長手方向での相対摺動のみを許す状態にパイプ状の外郭フレームを外嵌させた摺動嵌合構造においてそれらフレームを相対摺動させる上記構成であれば、従来のボルト・ナット仮締め状態でのアングル材の相対摺動に比べ、ガタツキやコジレを効果的に抑止した状態でそれらフレームを円滑に相対摺動させることができ、これにより、従来の取り付け構造に比べ、支持枠の長さ調整を円滑かつ容易に行なうことができ、そのことでユニットバスの天井裏への支持枠の設置を容易にすることができる。
さらに、前述した支持枠の長さ調整を行なって支持枠をユニットバスの天井裏に設置するには、先ず支持枠の全体形状を形作る必要があるが、先述した従来の取り付け構造では、支持枠の全体形状を形作ってそれを保つのにボルト・ナットの仮締めによる部材連結を複数箇所について行なう必要があり、この作業が煩雑で作業能率が低い問題もある。
これに対し、上記構成によれば、各内郭フレームの長手方向における内側端部の側を外郭フレームの両端部に挿入して内嵌状態にするだけで、また、各内郭フレームを外郭フレーム内に内嵌状態で収納する形態を採るのであれば、収納状態にある各内郭フレームを外郭フレームから少し引き出すだけで、支持枠の全体形状を形作ってそれを保つようにすることができ、この点で、従来の取り付け構造に比べ作業を簡単にして作業性を大巾に高めることができ、そして、前述した支持枠の長さ調整の容易化と相俟ってユニットバスの天井裏への支持枠の設置を一層容易に能率良く行なうことができる。
【００１０】
〔２〕請求項２に係る発明は、請求項１に係る発明の実施に好適な実施形態を特定するものであり、その特徴は、
前記係合部を、前記天井廻し縁の内側で前記支持枠の本体部から上方に延びて前記天井廻し縁の上方で外側へわたり、かつ、前記天井廻し縁の外側で前記側壁の外面に対する係合位置まで下方に延びる逆Ｕ字形状にしてある点にある。
【００１１】
つまり、この構成によれば、係合部が天井廻し縁の内側で支持枠の本体部から上方に延びて天井廻し縁の上方で外側へわたる形状を備えるから、着座部の高さ寸法を小さくして支持枠の本体部を低くしながらも天井廻し縁と係合部との干渉を回避することができる。そして、このように支持枠の本体部を低く設置できることで支持枠の設置安定性を高めることができ、これにより、浴室空調機に対する支持機能を一層高めることができる。
【００１２】
〔３〕請求項３に係る発明は、請求項１又は２に係る発明の実施に好適な実施形態を特定するものであり、その特徴は、
前記両脚枠のうちの一方を、前記内郭フレームを内嵌させた２本の前記外郭フレームを水平方向に並べた状態で束ねた構造にしてある点にある。
【００１８】
【発明の実施の形態】
図１はユニットバス用浴室暖房乾燥機の取り付け構造を示し、１はユニットバス、２はユニットバス１の天井裏に設置する支持枠であり、この取り付け構造では、ユニットバス１の天井壁３に形成した取付口４に浴室暖房乾燥機５を装着するのに、乾燥機５を図２に示す如く吊りボルト６により支持枠２に連結して取付口４に装着することで、その乾燥機５の荷重を支持枠２を介しユニットバス１の天井壁３で受け止める。７は天井壁３に形成した点検口である。
【００１９】
支持枠２の本体部は、天井壁３の一端から他端にわたらせる平行姿勢の２本の脚枠８と、取付口４に対応する位置で両脚枠８どうしにわたらせる主枠９とからなり、この主枠９に対し前記吊りボルト６により乾燥機５を連結する。
【００２０】
脚枠８は、図３に示す如く、乾燥機連結部としての主枠９を載置状態で取り付ける角パイプ状の外郭フレーム８Ａにおける長手方向の両端部夫々に、同じく角パイプ状の内郭フレーム８Ｂをフレーム長手方向での相対摺動のみを許す状態に内嵌して形成してあり、各内郭フレーム８Ｂの外側端部における下面には、天井壁３の端縁近傍における上面に対して当接させる支持枠着座部としての防振ゴム１０を付設し、また、各内郭フレーム８Ｂの外側端部には、ユニットバス１の対向する側壁１１夫々の外面に対し係合させる位置保持用の係合部１２を設けてある。
【００２１】
なお、２本の脚枠８のうちの一方は、内郭フレーム８Ｂを各々に内嵌させた２本の外郭フレーム８Ａを水平方向に並べた状態で束ねた構造にしてある。
【００２２】
つまり、この取り付け構造では、外郭フレーム８Ａと内郭フレーム８Ｂとの摺動嵌合構造を調整機構として、それらフレーム８Ａ，８Ｂの相対摺動により支持枠２の長さ調整（各内郭フレーム８Ｂの張り出し長さの調整）を行なうことで、主枠９を取付口４に対応位置させた状態において、着座部としての防振ゴム１０が天井壁３の端縁近傍における上面に適切に当接し、かつ、係合部１２が側壁１１の外面に適切に係合するようにして、支持枠２をユニットバス１の天井裏に設置し、その後、乾燥機５を吊りボルト６により主枠９に連結することで、その乾燥機５の荷重及び支持枠２そのものの荷重を着座部としての防振ゴム１０の部分で天井壁３の端縁近傍（すなわち、側壁１１との接合部の近くで高い強度が得られる箇所）に受け止めさせる。
【００２３】
１３は内郭フレーム８Ｂを摺動不能な固定状態にする固定ネジ、１４は主枠９を外郭フレーム８Ａに固定する固定ボルトである。
【００２４】
各内郭フレーム８Ｂの外側端部に設ける位置保持用の係合部１２は、天井壁３の周縁部に上向き突出形状の天井廻し縁Ｍが設けられたユニットバスがあることに対し、図４に示す如く内郭フレーム８Ｂへの連結部を除く係合作用部分の断面形状を、天井廻し縁Ｍよりも内側で内郭フレーム８Ｂの外側端部から上方へ延びて天井廻し縁Ｍの上方で外側へわたり、かつ、天井廻し縁Ｍの外側で側壁１１の外面に対する係合位置まで下方に延びる逆Ｕ字形状にしてあり、これにより、天井廻し縁Ｍの有る無しにかかわらず支持枠２をユニットバスの天井裏へ適切に設置できるようにしてある。
【００２５】
すなわち、係合部１２を上記の如き逆Ｕ字形状にすることで、内郭フレーム８Ｂの端部下面に設けた着座部としての防振ゴム１０が天井廻し縁Ｍよりも内側で天井壁３の上面に当接した状態において、係合部１２が天井廻し縁Ｍの上方から外側へ廻り込んだ迂回状態で側壁１１の外面に係合するようにし、これにより、天井廻し縁Ｍの有る無しにかかわらず、着座部としての防振ゴム１０を天井壁３の上面に対し適切に当接させ、かつ、係合部１２を側壁１１の外面に対し適切に係合させた状態で支持枠２をユニットバス１の天井裏へ適切に設置できるようにしてある。
【００２６】
〔別実施形態〕
次に別の実施形態を列記する。
【００２７】
前述の実施形態では位置保持用の係合部１２を逆Ｕ字形状に形成したが、着座部１０を天井廻し縁Ｍよりも内側でユニットバス天井壁３の上面に当接させた状態において、係合部１２を天井廻し縁Ｍの上方から外側へ廻り込んだ状態でユニットバス側壁１１の外面に係合させるための具体的な係合部１２の形状は種々の変更が可能であり、例えば、前述の支持枠構造において着座部１０や脚枠８の寸法条件などから脚枠８の上面が天井廻し縁Ｍよりも高くなる場合では、係合部１２を脚枠８の端部上面から天井廻し縁Ｍの上方を外側へ延びて天井廻し縁Ｍの外側で側壁１１の外面に対する係合位置まで下方に延びる逆Ｌ字形状にするなどしてもよい。
【００２８】
着座部１０は防振ゴムに限られるものではなく、材質や形状・構造面で種々の変更が可能であり、例えば、脚枠８と同じ材質で脚枠８に設ける支持脚とその支持脚の下面に付設した防振ゴムとで着座部１０を形成するようにしてもよい。
【００２９】
外郭フレーム８Ａや内郭フレーム８Ｂは角材に限られるものではなく、また、パイプ状の外郭フレーム８Ａは、パイプ状や棒状の内郭フレーム８Ｂを相対摺動のみを許す状態で外嵌するものであれば、必ずしも完全なパイプ材に限らず断面形状において周方向の一部に切欠を有するものであってもよい。
【００３０】
取り付け対象のユニットバス用浴室空調機は浴室暖房乾燥機に限られるものではなく、単機能の浴室暖房機や浴室乾燥機、あるいは、単機能ないし複合機能の浴室換気扇、浴室冷房機、浴室ミストシャワー機などであってもよい。
【図面の簡単な説明】
【図１】支持枠の設置状態を示す斜視図
【図２】浴室暖房乾燥機の装着形態を示す斜視図
【図３】支持枠の構造を示す斜視図
【図４】要部の拡大断面図
【図５】従来例を示す斜視図
【図６】従来例を示す拡大断面図
【図７】天井廻し縁を示す拡大断面図
【符号の説明】
１              ユニットバス
２              支持枠
３              ユニットバス天井壁
５              浴室空調機
８Ａ            外郭フレーム
８Ｂ            内郭フレーム
９              空調機連結部
１０            着座部
１１            ユニットバス側壁
１２            係合部
Ｍ              天井廻し縁
【図１】
0004865967.tif 000002
【図２】
0004865967.tif 000003
【図３】
0004865967.tif 000004
【図４】
0004865967.tif 000005
【図５】
0004865967.tif 000006
【図６】
0004865967.tif 000007
【図７】
0004865967.tif 000008